(57)【要約】【課題】本発明の目的は、仕上がりの不具合を容易に判別でき、指定ページ及びその対応ページのプレビュー画像を操作部にストレスなく表示できる操作表示制御部、及び画像形成装置を提供すること。【解決手段】本発明は、指定ページのプレビュー画像を前記表示部に表示させている時に、指定ページに関連する対応ページのプレビュー画像データを作成させて画像メモリに格納させることにより、上記課題を解消する。【選択図】図１１
2011124841.tif 000002
【特許請求の範囲】
【請求項１】
複数ページの画像データと前記複数ページの画像データを処理する処理情報とで構成されるジョブに基づき複数の用紙上に画像を形成して前記用紙を所定の出力形態で出力する画像形成装置において、
入力操作により前記出力形態を確認するプレビュー画像を表示部に表示させる操作制御部と、前記プレビュー画像の表示に用いるプレビュー画像データを格納する画像メモリと、を備え、
前記操作制御部は、前記入力操作で指定された指定ページのプレビュー画像を前記表示部に表示させている時に、前記指定ページに関連する対応ページのプレビュー画像データを作成させ前記画像メモリに格納させることを特徴とする画像形成装置。
【請求項２】
前記操作制御部は、前記プレビュー画像の表示中に前記入力操作で前記対応ページが指定された場合に、前記画像メモリに格納された前記対応ページのプレビュー画像データに基づき前記表示部に前記対応ページのプレビュー画像を表示させることを特徴とする請求項１に記載の画像形成装置。
【請求項３】
前記操作制御部は、前記入力操作で指定された前記指定ページ、あるいは前記対応ページのプレビュー画像データが前記画像メモリに格納されている場合に、前記プレビュー画像データを作成させないことを特徴とする請求項１、又は２に記載の画像形成装置。
【請求項４】
前記対応ページは、前記指定ページの画像データが処理される用紙面の反対側の用紙面に処理される画像データに対応するページであることを特徴とする請求項１から３までの何れか１項に記載の画像形成装置。
【請求項５】
前記対応ページは、前記指定ページの画像データが処理される用紙の直前、又は直後に出力される用紙に処理される画像データに対応するページであることを特徴とする請求項１から３までの何れか１項に記載の画像形成装置。
【請求項６】
前記対応ページは、前記表示部に前記プレビュー画像と共に表示されている操作釦の押下により前記表示部に表示される新たなプレビュー画像に対応するページであることを特徴とする請求項１から３までの何れか１項に記載の画像形成装置。
【発明の詳細な説明】
【技術分野】
【０００１】
本発明は、画像形成装置及びプレビュー画像表示制御に関する。
【背景技術】
【０００２】
近年、原稿画像を読み取るスキャナ、スキャナで読み取った原稿画像を印刷する複写機、外部から入力された画像データを印刷するプリンタやファクシミリ装置、あるいは、これらの機能を兼ね備えた、いわゆるＭＦＰ（Ｍｕｌｔｉ  Ｆｕｎｃｔｉｏｎ  Ｐｅｒｉｐｈｅｒａｌ）と称される複合機が用いられている。
【０００３】
この種の複合機にあっては、原稿の種類や濃度といった原稿の状態に関する設定、拡大率・縮小率、片面・両面、余白サイズなどの各種画像処理に関する設定、スタンプ押印処理、ステープル処理あるいはパンチ孔あけ処理といった仕上げ処理に関する設定など、様々な機能に関する設定を操作者は行うことができる。一方、実際に印刷してみると、希望の仕上がる異なる不良印刷を出力し、用紙を無駄に使用してしまうという問題が有る。
【０００４】
この問題を解決するために、実際の印刷に先だって、印刷ジョブを構成する各印刷イメージの仕上がりを示すプレビュー画像を表示し、操作者に出力結果を確認させ、必要に応じて印刷の設定を変更することが可能な画像処理装置が提案されている（特許文献１〜３）。
【０００５】
特許文献１に記載の技術は、複数枚の用紙に両面印刷を行う場合に、プレビュー画像の表示枠内に複数ページ分のプレビュー画面をページ順に表示させるものである。
【０００６】
特許文献２に記載の技術は、両面印刷により得られた複数枚の記録用紙を綴じる（製本する）ことを予定している場合、冊子の一部をめくり返すような形態においてプレビュー画面を表示させて、少なくとも連続する３ページ分のページ画像を表示するものである。
【０００７】
特許文献３に記載の技術は、両面印刷の場合に複数のページで構成される印刷予定の印刷ジョブについて、対象ページをプレビュー画像で表示すると共に、対象ページに対する前のページ、後のページ、表面のページ、又は裏面のページを補助プレビュー画像（アイコン画像、縮小画像）として対象ページに対応付けて表示するものである。
【先行技術文献】
【特許文献】
【０００８】
【特許文献１】特開２００８−２３４６７１号公報
【特許文献２】特開２００８−１８２４２７号公報
【特許文献３】特開２００８−２２６０５０号公報
【発明の概要】
【発明が解決しようとする課題】
【０００９】
通常プレビュー画像を表示する場合に以下のように制御している。印刷用画像メモリに圧縮データとして記憶された所定の画像データを読み出し、縮小処理を行いながら操作部の操作画像メモリにプレビュー用画像データを記憶する。その後、操作画像メモリを走査し、プレビュー画像を含む操作画像を操作部の表示部に表示する。
【００１０】
ところが、上記の特許文献１及び特許文献２に記載の技術は複数ページ分の画像データを表示するために、プレビュー用画像データを操作画像メモリに記憶するのに要する時間がページ数に応じて増大し、プレビュー画像の表示が遅延するという課題を有する。
【００１１】
また、プレビュー画像の表示枠の面積は限定されるものであり、プレビュー画像の精細度はページ数に応じて低下するために、特許文献１の技術には、操作者が印刷の仕上がり状態を詳しく確認できないという課題も内包するものである。
【００１２】
また、特許文献２の技術は、各ページに対応するプレビュー画面はページの全面を表示するものでなく、非表示の部分に対応する仕上がり不良を見逃すという課題を有する。
【００１３】
特許文献３に記載の技術は、操作者指定の単一ページの画像データを印刷用画像メモリから読み出して縮小処理を行いながらプレビュー用画像データを操作画像メモリに記憶しており特許文献１のような課題を有さない。ところが、プレビュー画像が表示されている状態においてプレビュー画像のページに対する裏面／表面、あるいは前後のページに対応するプレビュー画像を表示する場合に以下のように制御している。指定された対応ページの画像データを印刷用画像メモリから読み出しプレビュー用画像データを操作画像メモリに記憶する。その後、表示部の表示を新しいプレビュー画像を含む操作画面に切替ている。
【００１４】
このために、対応ページのプレビュー画像を表示する毎に、最初にプレビュー画面を表示する場合と同じ程度の遅延時間を必要とし、結果として操作者に対し不快感（いらいら、違和感等）を与えるという課題を有している。
【００１５】
本発明の目的は、操作者がストレスなく仕上がりの不具合を容易に判別でき、指定ページ及びその対応ページのプレビュー画像を操作部に表示できるプレビュー画像表示制御、及び画像形成装置を提供すること。
【課題を解決するための手段】
【００１６】
上記の目的は、下記に記載する発明により達成される。
【００１７】
１．複数ページの画像データと前記複数ページの画像データを処理する処理情報とで構成されるジョブに基づき複数の用紙上に画像を形成して前記用紙を所定の出力形態で出力する画像形成装置において、
入力操作により前記出力形態を確認するプレビュー画像を表示部に表示させる操作制御部と、前記プレビュー画像の表示に用いるプレビュー画像データを格納する画像メモリと、を備え、
前記操作制御部は、前記入力操作で指定された指定ページのプレビュー画像を前記表示部に表示させている時に、前記指定ページに関連する対応ページのプレビュー画像データを作成させ前記画像メモリに格納させることを特徴とする画像形成装置。
【００１８】
２．前記操作制御部は、前記プレビュー画像の表示中に前記入力操作で前記対応ページが指定された場合に、前記画像メモリに格納された前記対応ページのプレビュー画像データに基づき前記表示部に前記対応ページのプレビュー画像を表示させることを特徴とする前記１に記載の画像形成装置。
【００１９】
３．前記操作制御部は、前記入力操作で指定された前記指定ページ、あるいは前記対応ページのプレビュー画像データが前記画像メモリに格納されている場合に、前記プレビュー画像データを作成させないことを特徴とする前記１、又は２に記載の画像形成装置。
【００２０】
４．前記対応ページは、前記指定ページの画像データが処理される用紙面の反対側の用紙面に処理される画像データに対応するページであることを特徴とする前記１から３までの何れか１項に記載の画像形成装置。
【００２１】
５．前記対応ページは、前記指定ページの画像データが処理される用紙の直前、又は直後に出力される用紙に処理される画像データに対応するページであることを特徴とする前記１から３までの何れか１項に記載の画像形成装置。
【００２２】
６．前記対応ページは、前記表示部に前記プレビュー画像と共に表示されている操作釦の押下により前記表示部に表示される新たなプレビュー画像に対応するページであることを特徴とする前記１から３までの何れか１項に記載の画像形成装置。
【発明の効果】
【００２３】
本発明は、指定ページのプレビュー画像を前記表示部に表示させている時に、指定ページに関連する対応ページのプレビュー画像データを作成させて画像メモリに格納させることにより、仕上がりの不具合を容易に判別でき、指定ページ及びその対応ページのプレビュー画像を操作部にストレスなく表示できる操作制御部、及び画像形成装置の提供を可能にする。
【図面の簡単な説明】
【００２４】
【図１】本発明に係る実施の形態における画像形成装置１の断面構成を示す図である。
【図２】画像形成装置１の内部構成を示す制御ブロック図である。
【図３】コピージョブに関する各種設定が行われるコピー設定画面Ｇ４０の一例を示す図である。
【図４】操作部３０に表示されるジョブリスト画面Ｇ６０を示す図である。
【図５】選択ジョブＳｊに関する画像ページ編集画面Ｇ７０を示す図である。
【図６】本発明に係るプレビュー画像を表示するジョブチケット編集画面Ｇ８０を示す図である。
【図７】プレビュー画面を詳しく示すプレビュー画像表示欄Ｇ９０の拡大図である。
【図８】プレビュー画像表示制御を司る操作制御部３１の関連を示す制御ブロック図である。
【図９】本発明に係るプレビュー画像格納制御を示すフローチャートである。
【図１０】プレビュー画像データＰｖＧＤを反映するジョブチケット編集画面Ｇ８０を表示させるプレビュー画像表示制御を示すフローチャートである。
【図１１】本発明に係るプレビュー画像作成表示制御を示すフローチャートである。
【図１２】プレビュー画像作成表示制御の適用例（その１）で表示されるプレビュー画像表示欄Ｇ９０の表示形態を示す画面である。
【図１３】プレビュー画像作成表示制御の適用例（その２）で表示されるプレビュー画像表示欄Ｇ９０の表示形態を示す画面である。
【図１４】プレビュー画像作成表示制御の適用例（その３）で表示されるプレビュー画像表示欄Ｇ９０の表示形態を示す画面である。
【発明を実施するための形態】
【００２５】
以下、図面を参照して本発明に係る実施の形態を詳細に説明する。ただし、発明の範囲は、図示例に限定されない。
【００２６】
先ず、図１及び図２を参照して、本実施の形態の装置構成を説明する。図１に、本実施の形態における画像形成装置１の断面構成を示す。
【００２７】
図１に示すように、複写機である画像形成装置１は、ＨＤＤ（Ｈａｒｄ  Ｄｉｓｋ  Ｄｒｉｖｅ）１９、画像読取部２０、操作部３０、プリンタ部４０、給紙ユニット５０、後処理ユニット６０を備えて構成される。本実施の形態では、画像形成装置１を複写機として説明するが、これに限定されるものではない。例えば、ＭＦＰ（Ｍｕｌｔｉ  Ｆｕｎｃｔｉｏｎ  Ｐｅｒｉｐｈｅｒａｌ）、プリンタ等、他の画像形成装置としてもよい。
【００２８】
画像読取部２０は、自動原稿搬送部であるＡＤＦ（Ａｕｔｏ  Ｄｏｃｕｍｅｎｔ  Ｆｅｅｄｅｒ）部２１、スキャナ部２２を備える。ＡＤＦ部２１は、原稿台に載置された原稿を搬送してスキャナ部２２に送り出し、スキャナ部２２は、搬送された原稿を光走査してラインイメージセンサにより光電変換して原稿画像を読み取る。画像読取部２０により読み取られた原稿画像データには、各種画像処理が施され、プリント用画像データとしてプリンタ部４０に出力される。また、ＨＤＤ１９は、後述する本体制御部１０に含まれ、プリント前又はプリント後の画像データ等の情報を読み書き自在に記憶する。
【００２９】
操作部３０は各種の操作画面や案内画面を表示する表示部３２とスタートボタンなどの操作スイッチとで構成される。表示部３２は、表面にタッチパネルを備えるＬＣＤ（Ｌｉｑｕｉｄ  Ｃｒｙｓｔａｌ  Ｄｉｓｐｌａｙ）で構成され、タッチパネルは各種の操作釦が表示配設され、入力部を兼ねている。操作者は、操作部３０を通じて、コピージョブあるいは印刷データの印刷ジョブ等の設定などを実施可能である。
【００３０】
プリンタ部４０は、電子写真方式の画像形成を行うものであり、給紙ユニット５０から給紙された記録用紙としての記録用紙に画像形成を行う画像形成部４１等を備える。画像形成部４１は、像担持体である感光ドラム、感光ドラムの帯電を行う帯電部、画像データに基づいて感光ドラム表面を露光走査する露光部、感光ドラム上の静電潜像を現像する現像部、感光ドラム上に形成されたトナー像を記録用紙に転写する転写部、感光ドラム上の残トナーを除去するクリーニング部、記録用紙上に形成されたトナー像を定着させる定着部から構成される。本実施の形態では、電子写真方式を適用した例を説明するが、これに限らず、インクジェット方式、熱昇華方式等、他のプリント方式を適用することとしてもよい。
【００３１】
給紙ユニット５０は、記録用紙を格納する給紙トレイ５１〜５４の４つの給紙トレイを備えて構成される。なお、本実施の形態では、４つの給紙トレイを備えることとしたが、その数は特に限定しない。各給紙トレイ５１〜５４には、普通紙、裏紙、再生紙、上質紙等の紙種、色及びサイズが異なる記録用紙を収容することが可能である。また、記録用紙としては、ＯＨＰシート等、他の記録用紙でもよい。
【００３２】
後処理ユニット６０は、画像形成された記録用紙にソート処理、パンチ（穴開け）処理、ステープル処理等の各種後処理を施し、小冊子の作成や製本を行うことが可能である。
【００３３】
次に、画像形成装置１は、外部機器としてのＰＣ（Ｐｅｒｓｏｎａｌ  Ｃｏｍｐｕｔｅｒ）２と接続して画像形成システム１αを構成する。
【００３４】
図２は、画像形成システム１αを主体的に司る画像形成装置１の内部構成を示す制御ブロック図である。画像形成装置１は、図示のように、本体部１ａ、プリントコントローラ１ｂ、給紙ユニット５０（給紙トレイ５４）、後処理ユニット６０から構成され、プリントコントローラ１ｂのＬＡＮＩＦ（Ｌｏｃａｌ  Ａｒｅａ  Ｎｅｔｗｏｒｋ  ＩｎｔｅｒＦａｃｅ）７２を介してＬＡＮ上のＰＣ２と相互にデータの送受信が可能に接続される。
【００３５】
本体部１ａは、本体制御部１０、画像読取部２０、操作部３０、プリンタ部４０、給紙ユニット５０（給紙トレイ５１〜５３）等から構成される。なお、図１で説明した各部と同一の構成部には、同一の符号を付してその説明を省略する。
【００３６】
本体制御部１０は、主制御部１１、不揮発メモリ１２、読取処理部１３、圧縮ＩＣ（Ｉｎｔｅｇｒａｔｅｄ  Ｃｉｒｃｕｉｔ）１４、ＤＲＡＭ制御ＩＣ１５、本体画像メモリ１６、伸長ＩＣ１７、書込処理部１８、ＨＤＤ１９、から構成される。そして、後述で説明するジョブに基づき画像形成装置１の各部を制御して複数の用紙上に画像を形成し、画像形成された用紙を所定の形態で出力する。
【００３７】
主制御部１１は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）等から構成され、不揮発メモリ１２に格納されている各種処理プログラムを読み出してＲＡＭ上に展開し、当該プログラムとＣＰＵとの協働により画像形成装置１の各部の処理動作を統括的に制御する。
【００３８】
主制御部１１は、原稿の読み取り又は複写のジョブ実行の際に、画像読取部２０に原稿の読み取りを行わせて画像データを取得し、次に、操作部３０を介して操作者により入力された設定情報に基づき、画像データを処理するための処理情報を生成し、ジョブとして本体画像メモリ１６に記憶する。
【００３９】
本体画像メモリ１６は、ＤＲＡＭ（Ｄｙｎａｍｉｃ  ＲＡＭ）から構成され、圧縮メモリ１６ａ、ページメモリ１６ｂを備える。圧縮メモリ１６ａは、圧縮画像データを格納するためのメモリであり、ページメモリ１６ｂは、画像形成前にプリント対象の非圧縮画像データを一時的に格納するためのメモリである。
【００４０】
不揮発メモリ１２は、主制御部１１における画像形成処理等の各種処理プログラム及び各種プログラムで使用する値等のデータを記憶する。特に、不揮発メモリ１２には、編集／確認プログラムを記憶する。
【００４１】
読取処理部１３は、画像読取部２０から入力されるアナログ画像信号に、シェーディング補正処理、Ａ／Ｄ変換処理を行ってデジタル画像データを生成する。生成された画像データは、圧縮ＩＣ１４に出力される。
【００４２】
圧縮ＩＣ１４は、入力された画像データに圧縮処理を施してＤＲＡＭ制御ＩＣ１５に出力する。
【００４３】
ＤＲＡＭ制御ＩＣ１５は、主制御部１１からの指示に従って、圧縮ＩＣ１４による画像データの圧縮処理及び伸長ＩＣ１７による圧縮画像データの伸長処理を制御するとともに、本体画像メモリへの画像データの入出力制御を行う。例えば、画像読取部２０により読み取られた画像データの保存が指示されると、ＤＲＡＭ制御ＩＣ１５は読取処理部１３から入力された画像データの圧縮処理を圧縮ＩＣ１４に実行させて、圧縮画像データを本体画像メモリの圧縮メモリ１６ａに格納する。また、圧縮メモリ１６ａに格納された圧縮画像データのプリント出力が指示されると、圧縮メモリ１６ａから圧縮画像データを読み出し、伸長処理を伸長ＩＣ１７に実行させてページメモリ１６ｂに格納する。そして、ページメモリ１６ｂから非圧縮画像データを読み出して書込処理部１８に出力する。ＤＲＡＭ制御ＩＣ１５は、画像形成部４１による画像形成後に、画像形成済みの画像データを圧縮メモリ１６ａ及びページメモリ１６ｂから削除する。
【００４４】
伸長ＩＣ１７は、入力される圧縮画像データに伸長処理を施す。
【００４５】
書込処理部１８は、ＤＲＡＭ制御ＩＣ１５から入力されたプリント対象の画像データに基づいて、画像形成のためのプリント用画像データを生成し、プリンタ部４０に出力する。
【００４６】
ＨＤＤ１９は、スキャナ部２２で読み取って生成したジョブのデータやプリントコントローラ１ｂを介してＰＣ２から受信したジョブのデータ等の情報を格納しておくための記憶装置である。
【００４７】
画像読取部２０は、ＡＤＦ部２１、スキャナ部２２、読取制御部２３等から構成され、画像形成装置１に画像データを入力する入力手段である。読取制御部２３は、主制御部１１からの指示に従って、ＡＤＦ部２１、スキャナ部２２を制御して原稿面の光走査を実行させ、読み取られたアナログ画像信号を読取処理部１３に出力する。
【００４８】
次に、プリントコントローラ１ｂの各部について説明する。プリントコントローラ１ｂは、画像形成装置１をネットワークプリンタとして使用する場合に、ＬＡＮに接続されるＰＣ２から送信された画像データを画像形成装置１に入力する入力手段である。
【００４９】
プリントコントローラ１ｂは、図２に示すように、コントローラ制御部７１、ＬＡＮＩＦ７２、ＤＲＡＭ制御ＩＣ７３、コントローラ画像メモリ７４から構成される。
【００５０】
コントローラ制御部７１は、プリントコントローラ１ｂの各部の動作を統括的に制御し、ＬＡＮを介してＰＣ２から入力される画像データを画像形成装置１の動作状態に応じてプリントジョブとして出力する。
【００５１】
ＬＡＮＩＦ７２は、ＮＩＣ（Ｎｅｔｗｏｒｋ  Ｉｎｔｅｒｆａｃｅ  Ｃａｒｄ）やモデム等のＬＡＮと接続するための通信インターフェイスであり、ＰＣ２からＬＡＮを介してプリント対象の画像データを受信する。受信された画像データは、ＤＲＡＭ制御ＩＣ７３に出力される。
【００５２】
ＤＲＡＭ制御ＩＣ７３は、ＬＡＮＩＦ７２により受信された画像データのコントローラ画像メモリ７４への格納や、コントローラ画像メモリ７４からの画像データの読み出しを制御する。また、ＤＲＡＭ制御ＩＣ７３は、ＤＲＡＭ制御ＩＣ１５とＰＣＩバスで接続されており、コントローラ制御部７１からの指示に従って、プリント対象の画像データをコントローラ画像メモリ７４から読み出してＤＲＡＭ制御ＩＣ１５に出力する。
【００５３】
ＰＣ２は、操作者の操作等により、プリントジョブのデータを生成してＬＡＮを介して画像形成装置１に送信する。プリントジョブのデータは、当該ジョブの画像データと、当該ジョブの加工情報やプリントの指示設定情報等を含むプリント設定データを有するジョブチケットと、ページ毎のプリント設定データを有するページチケットと、を含む。ここでは、外部機器としてＰＣ２を説明するが、これに限定されるものではなく、サーバ装置、ＰＤＡ等の携帯機器等、他の外部機器としてもよい。
【００５４】
画像形成装置１において、ＰＣ２からＬＡＮを介して受信したジョブデータ（画像データと処理情報としてのジョブチケット及びページチケットとで構成される）は、本体画像メモリに記憶されるものとする。また、画像読取部２０、ＰＣ２から入力されるジョブのデータは、本体画像メモリのページメモリ１６ｂに、ジョブの画像データ、ジョブチケット及びページチケットが記憶された後、圧縮ＩＣ１４によりその画像データが圧縮され、圧縮メモリ１６ａに、圧縮画像データ、ジョブチケット及びページチケットがそれぞれ対応付けられて記憶される。
【００５５】
［操作部］
操作部３０は、操作制御部３１と、表示部３２と、入力部３３と、本発明に係る画像メモリとしての操作画像メモリ３４とを有する。表示部３２は、入力部３３に一体型として含まれるタッチパネルで構成される。入力部３３はタッチパネル上に表示される、及びタッチパネル外に配設する各種機能ボタンで構成される。
【００５６】
操作画像メモリ３４は表示部３２に表示される操作画面の画像データ（操作画像データと称す）を格納するメモリで、ＤＲＡＭ（Ｄｙｎａｍｉｃ  ＲＡＭ）で構成される。
【００５７】
操作制御部３１は、操作者による各種機能ボタンの操作に基づく入力信号を主制御部１１に出力すると共に、主制御部１１からの指示及び自己の制御に基づき以下に示す各種操作画面を表示部３２に表示させる。
【００５８】
《コピー設定画面》
図３は、コピージョブに関する各種設定が行われるコピー設定画面Ｇ４０の一例を示す図である。コピー設定画面Ｇ４０の上部には、画像形成装置１の現在の状態に関する基本事項を表示するための基本情報表示欄Ｇ５０が設けられている。
【００５９】
コピー設定画面Ｇ４０は、原稿設定Ｇ４１、画質設定Ｇ４２、倍率設定Ｇ４３、片面／両面設定Ｇ４４、応用設定Ｇ４５、出力設定Ｇ４６、用紙設定Ｇ４７の各設定欄が設けられている。これらの設定欄Ｇ４１〜Ｇ４７には設定のための案内情報や操作ボタンが表示されると共に、各設定項目に対する現時点の設定内容が表示される。
【００６０】
コピー設定画面Ｇ４０などで設定された各設定項目の設定内容はジョブ情報の一部として不揮発メモリ１２に記憶される。なお、ジョブ情報には、そのジョブを投入した操作者の操作者名、ジョブの種類（プリント、コピーなど）を示すモード、プリントジョブの場合は印刷対象の印刷データのファイル名、ジョブの状態（出力中、予約、保留など）、印刷枚数、印刷部数、印刷完了までの残枚数、ジョブを実行する際の所要時間を示す情報なども含まれる。
【００６１】
次に、ジョブリストの表示について説明する。ジョブリスト画面Ｇ６０は、コピー設定画面Ｇ４０の表示状態において操作者が画面上部右寄りにあるジョブリストタグＧ４８を選択すると、コピー設定画面Ｇ４０に替わって表示される。
【００６２】
《ジョブリスト画面》
図４は、操作部３０に表示されるジョブリスト画面Ｇ６０を示す図です。
【００６３】
ジョブリスト画面Ｇ６０は、コピー設定画面Ｇ４０と同様に基本情報表示欄Ｇ５０の下部に設けられている。ジョブリスト画面Ｇ６０は、出力中、あるいは予約中のジョブリストＧ６１ａを表示する第１領域Ｇ６１と、そのジョブリストの中から操作者によって選択されたジョブに関する設定内容が設定項目別に表示される第２領域Ｇ６２と、各種の操作ボタンが配列された第３領域Ｇ６３とで構成されている。
【００６４】
ここではジョブＳｊが選択された状態であり、第２領域Ｇ６２には選択ジョブＳｊに関する設定内容を設定項目別に表示されている。
【００６５】
第２領域Ｇ６２は、トレイ／用紙に関する設定項目のグループＧ６２ａ、印刷面に関する設定項目のグループＧ６２ｂ、応用設定に関する設定項目のグループＧ６２ｃ、後処理に関する設定項目のグループＧ６２ｄ、排紙トレイに関する設定項目のグループＧ６２ｅを有し、構成される。各グループのタイトルが第２領域Ｇ６２の上部に横一行に並べて表示されており、各タイトルの下方に各グループの設定項目を表示する表示枠が配列されている。
【００６６】
第３領域Ｇ６３には図示のように７つの操作ボタンが配列されているが、削除ボタンＧ６３ａと本発明に係る編集ボタンＧ６３ｂについて簡単に説明する。削除ボタンＧ６３ａは、ジョブリストにおいて選択されたジョブを予約ジョブから削除するための操作ボタンである。編集ボタンＧ６３ｂは選択された予約ジョブに関する画像ページを編集するための画像ページ編集画面に移行する操作ボタンである。
【００６７】
第１領域Ｇ６１に表示されたジョブリストＧ６１ａの中から操作者が１つのジョブ（例えばＳｊで示すジョブ）を選択すると、図示のように選択されたジョブ（選択ジョブＳｊ）の各設定項目の設定内容が第２領域Ｇ６２に表示される。
【００６８】
操作者が第３領域Ｇ６３の編集ボタンＧ６３ｂを押下されると、ジョブリスト画面Ｇ６０に替わって画像ページ編集画面が表示される。
【００６９】
《ジョブ編集画面》
図５は、選択ジョブＳｊに関する画像ページ編集画面Ｇ７０を示す図である。
【００７０】
画像ページ編集画面Ｇ７０はコピー設定画面Ｇ４０と同様に基本情報表示欄Ｇ５０の下部に設けられている。画像ページ編集画面Ｇ７０は、最上部のタイトル欄Ｇ７１、サムネイル表示欄Ｇ７２、編集操作欄Ｇ７３と編集確認設定欄Ｇ７４を有し、構成されている。
【００７１】
タイトル欄Ｇ７１は、操作者に指示するメッセージを表示する領域である。『画像ページ編集』というタイトルＧ７１ａが表示され、タイトルＧ７１ａの右側には『作業対象のページ（単位、複数）を先に全て選択してから、利用したい機能を選んで下さい。』の旨のメッセージＧ７１ｂが表示されている。
【００７２】
サムネイル表示欄Ｇ７２は、選択ジョブＳｊを構成するページに対応するサムネイルを表示する領域である。サムネイルは印刷順に左から右に配列し、横一列が一杯になると下位シフトして左から右に印刷順に配列する。操作者が所定のサムネイルを選択されると、選択されたサムネイルは強調表示に切り替わり、図５では７ページ目が選択されている。
【００７３】
編集操作欄Ｇ７３には７つの編集ボタンを有し、連続選択ボタンＧ７３ａ、削除ボタンＧ７３ｂ、全選択ボタンＧ７３ｃ、回転ボタンＧ７３ｄ、章分けボタンＧ７３ｅ等が配設されている。編集可能なボタンは通常表示で表示されており、編集不能なボタンは後退表示で表示される。例えば、７ページのサムネイルを指定して編集操作欄Ｇ７３の削除ボタンＧ７３ａを押下すると、７ページ目のサムネイルが消去されてサムネイル表示欄Ｇ７１において８ページ以降のサムネイルは順次１ページ分だけ左詰めに移動する。
【００７４】
編集確認設定欄Ｇ７４には、確定釦Ｇ７４ａ、キャンセル釦Ｇ７４ｂ、ジョブチケット釦Ｇ７４ｃとサンプル出力釦Ｇ７４ｄが配設されている。確定釦Ｇ７４ａは画像ページ編集画面Ｇ７０におけるページ編集の内容を確定する入力釦である。キャンセル釦Ｇ７４ｂは画像ページ編集画面Ｇ７０におけるページ編集の内容を元に戻す入力釦である。ジョブチケット釦Ｇ７４ｃは画像ページ編集画面Ｇ７０において選択されているサムネイル（つまり、強調表示されているサムネイル）の画像データに対応するジョブチケット編集画面を表示する入力釦である。
【００７５】
画像ページ編集画面Ｇ７０の表示の下で操作者がジョブチケット釦を押下すると、画像ページ編集画面Ｇ７０に替わって、次に示すジョブチケット編集画面が表示される。
【００７６】
《ジョブチケット編集画面》
図６は、本発明に係るプレビュー画像を表示するジョブチケット編集画面Ｇ８０を示す図である。
【００７７】
なお、ジョブチケットは、読取処理された原稿の画像データから所定の形態の印刷物を出力するために画像形成装置及び後処理装置等が各画像データに施す、各種処理項目と処理内容を示す一覧である。
【００７８】
ジョブチケット編集画面Ｇ８０は、操作者がジョブチケット、又は後述のページチケットの内容を編集するための操作画面である。
【００７９】
ジョブチケット編集画面Ｇ８０には、タイトル欄Ｇ８１、ジョブチケット欄Ｇ８２、ページチケット欄Ｇ８３と設定・遷移欄Ｇ８４とが配設されている。
【００８０】
ジョブチケット欄は３ページで構成されるジョブチケットの一覧を表示している。ページチケット欄Ｇ８３には、各画像データ毎のページチケットを表示しているページチケット表示欄Ｇ８３ａ、Ｇ８３ｂと、各画像データに関する仕上がり形態（状態）を確認するためのプレビュー画像を表示するプレビュー画像表示欄Ｇ９０と、が配設されている。
【００８１】
ページチケットは、ジョブ構成する各ページに関する処理項目及び処理内容を示す一覧であり、一覧はページ毎に設けられている。そして、ページチケット欄Ｇ８３には画像ページ編集画面Ｇ７０で選択されたサムネイル（ページ）に対応するページチケットとプレビュー画像が表示される。
【００８２】
設定・遷移欄Ｇ８４には、確定釦Ｇ８４ａと、キャンセル釦Ｇ８４ｂと、画像ページ編集釦Ｇ８４ｃと、サンプル出力釦Ｇ８４ｄとが配設されている。確定釦Ｇ８４ａはジョブチケット編集画面Ｇ８０における編集の内容を確定する入力釦である。キャンセル釦Ｇ８４ｂはジョブチケット編集画面Ｇ８０における編集の内容を元に戻す入力釦である。画像ページ編集釦Ｇ８４ｃは画像ページ編集画面Ｇ７０を表示する入力釦である。そして、画像ページ編集釦Ｇ８４ｃが押下されると、ジョブチケット編集画面Ｇ８０に替わって画像ページ編集画面Ｇ７０を表示する。
【００８３】
《プレビュー画像表示欄》
図７は、図６のプレビュー画面を詳しく示すプレビュー画像表示欄Ｇ９０の拡大図である。プレビュー画像表示欄Ｇ９０には、画像表示欄Ｇ９１と、画像表示欄Ｇ９１の外側に配設している両面／表釦Ｇ９２、両面／裏釦Ｇ９３、回転釦Ｇ９４、拡大縮小釦Ｇ９５、ページめくり／前釦Ｇ９６、ページめくり／後釦Ｇ９７、用紙番号表示枠Ｇ９８とページ表示枠Ｇ９９とが配設している。
【００８４】
図示のように画像表示欄Ｇ９１には、７ページに対応するプレビュー画像Ｇ９１ａが表示されており、両面／表釦Ｇ９２の背景を『明』の状態にして『表』の文字を強調表示している。つまり、７ページ目の画像データが両面印刷の表として画像形成処理されることを報知している。
【００８５】
プレビュー画像Ｇ９１ａは仕上がりを想定してジョブチケット及びページチケットの設定条件を反映する画像であり、図７では綴じ代Ｇ９１ｂにパンチ孔を示すパンチマークＭｐが描写されている。
【００８６】
回転釦Ｇ９４は、プレビュー画像Ｇ９１ａを９０度単位で所定方向に回転させる入力釦である。回転釦Ｇ９４を２回転すると、１８０度回転し天地置換する。回転釦Ｇ９４を操作して、操作者は所望の向きにプレビュー画像を設定できる。
【００８７】
両面／表釦Ｇ９２は、表示中のプレビュー画像が両面印刷の裏面側のページに対応する場合に、表面側のページに対応するプレビュー画像を画像表示欄Ｇ９１に表示させるための入力釦である。また、両面／裏釦Ｇ９３は、表示中のプレビュー画像が両面印刷の表面側のページに対応する場合に、裏面側のページに対応するプレビュー画像を画像表示欄Ｇ９１に表示させるための入力釦である。
【００８８】
ページめくり／前釦Ｇ９６は、表示中のプレビュー画像Ｇ９１ａに対応する用紙より１枚前の用紙に対応するプレビュー画面を画像表示欄Ｇ９１に表示させるための入力釦である。また、ページめくり／後釦Ｇ９７は、表示中のプレビュー画像Ｇ９１ａに対応する用紙より１枚後の用紙に対応するプレビュー画面を画像表示欄Ｇ９１に表示させるための入力釦である。従って、ページめくり／前釦Ｇ９６、又はページめくり／後釦Ｇ９７を押下すると、両面印刷モードの場合、表示中のプレビュー画像に対応するページより２ページ分前、あるいは２ページ分後のページに対応するプレビュー画像の表示に切り替わる。
【００８９】
《プレビュー画像の表示形態》
プレビュー画像Ｇ９１ａは、操作者がジョブ処理後の仕上がりを容易に確認でき、ジョブチケット及びページチケットの設定条件を視覚的に確認できるような表示形態を有していることが好ましく。プレビュー画像Ｇ９１ａは、表示領域に限られるプレビュー画像表示欄Ｇ９０に画像欠損もなく、一杯に表示されていることが好ましい。
【００９０】
例えば、後処理装置でパンチ処理を施す場合、プレビュー画像Ｇ９１ａは、用紙上の所定枠に各ページに対応する画像データを描画したページ画像と、パンチ処理条件で定まる用紙上の位置にパンチマークを描画したフォーム画像とを合成処理して作成される。
【００９１】
また、図６に示すように、ジョブチケット編集画面Ｇ８０は所定の表示欄にプレビュー画像を表示しており、操作者はプレビュー画像とジョブチケット及びページチケットの設定条件を対比しながらページの仕上がりをページ毎に詳しく確認できる。従って、操作者は、ジョブチケット編集画面Ｇ８０を操作することにより、ジョブの仕上がり不良を確実に防止出来る。
【００９２】
また、表示中のプレビュー画像をその画像に関連する他のプレビュー画面に切り替えるための入力部をジョブチケット編集画面Ｇ８０に備え、下記で詳しく説明するプレビュー画像表示制御によって、入力部の操作に応じて表示中のプレビュー画像に替わって該プレビュー画像のページに関連する対応ページのプレビュー画像を表示させるようにしている。
【００９３】
［プレビュー画像表示制御］
図８は、プレビュー画像表示制御を司る操作制御部３１の関連を示す制御ブロック図である。
【００９４】
操作画像メモリ３４はＤＲＡＭ（Ｄｙｎａｍｉｃ  ＲＡＭ）で構成され、操作画面データ格納領域３４ａと、プレビュー画像データ格納領域３４ｂと、ページ画像格納領域とに分割されている。操作画面データ格納領域３４ａは表示部３２に表示される操作画面の画像データ（操作画像データと称す）を格納する格納領域である。プレビュー画像データ格納領域３４ｂは、操作画面に反映させるプレビュー画像データＰｖＧＤを格納する格納領域であり、各プレビュー画像毎に対応して分割された複数のサブ格納領域３４ｂｊ（ｊ＝１、２・・）を有している。ページ画像格納領域３４ｃは主制御部１１より受信されたページの画像データを一時的に格納する格納領域である。
【００９５】
操作制御部３１は、操作主制御部３１ａと、各種操作画面を表示部３２に表示するための画像処理を司る画像処理部３１ｂと、を有する。
【００９６】
操作主制御部３１ａは、操作画面上にプレビュー画像を適宜表示するために必要なページの画像データ（ページ画像データＰＧＤと称す）の転送を要請する信号を主制御部１１に送信する。そして、主制御部１１からページ画像データＰＧＤが送信されると、ページ画像データＰＧＤをページ画像格納領域３４ｃに一時的に格納させる。操作主制御部３１ａは、格納が完了するとページ画像格納領域３４ｃ上のページ画像データＰＧＤを順次読み出して画像処理部３１ｂに出力する。更に、下記で説明するプレビュー画像作成制御を画像処理部３１ｂに実行させ、ページ画像データＰＧＤに基づきプレビュー画像データＰｖＧＤを生成させる。
【００９７】
操作主制御部３１ａは、画像処理部３１ｂで生成されたプレビュー画像データＰｖＧＤをプレビュー画像データ格納領域３４ｂに格納させる。
【００９８】
画像処理部３１ｂは、ページ画像データＰＧＤからプレビュー画像データＰｖＤを作成するプレビュー画像データ作成処理を含む、各種操作画面の作成に関する処理部である。つまり、ページ画像データＰＧＤに対し変倍（縮小）処理、及びＹＭＣＫ／ＢＧＲ変換処理等を施してジョブチケット編集画面Ｇ８０のプレビュー画像枠に適合するプレビュー画像データＰｖＧＤを生成する。
【００９９】
図９は、プレビュー画像データ格納制御を示すフローチャートである。
【０１００】
Ｓ１０１は、ページ画像データＰＧＤをプレビュー画像に適合するサイズに縮小して第１レイヤ画像データＬＤ１を作成させるステップである。
【０１０１】
Ｓ１０２は第２レイヤ画像データＬＤ２を作成させるステップである。なお、第２レイヤ画像データＬＤ２はジョブを構成する処理情報としてのジョブチケット及びページチケットを反映するフォーマット画像である。例えば、パンチ処理が有る場合には、フォーマット画像の用紙綴じ代に相当する部位にパンチ穴が描写される。
【０１０２】
Ｓ１０３は、第１レイヤ画像データＬＤ１上に第２レイヤ画像データＬＤ２をオーバーレイ（合成）してプレビュー画像データＰｖＧＤを出力させるステップである。
【０１０３】
Ｓ１０４は、画像処理部３１ｂから出力されたプレビュー画像データＰｖＧＤをプレビュー画像データ格納領域３４ｂのサブ格納領域３４ｂｊに格納させるステップである。その際に、操作主制御部３１ａは、プレビュー画像データＰｖＧＤをページ番号と対応付けて格納する。
【０１０４】
図１０は、操作主制御部３１ａがプレビュー画像データＰｖＧＤを反映するジョブチケット編集画面Ｇ８０を表示部３２に表示させるプレビュー画像表示制御を示すフローチャートである。
【０１０５】
Ｓ２０１は、画像処理部３１ｂを制御して対象ページのジョブチケット及びページチケットの処理条件が反映するジョブチケット編集画面Ｇ８０のフォーマット画像データを操作画面データ格納領域３４ａ上に作成させるステップである。
【０１０６】
Ｓ２０２は、Ｓ２０１ステップで作成したフォーマット画像データにプレビュー画像データＰｖＧＤをオーバーレイして操作画面データ格納領域３４ａ上にジョブチケット編集画面データＪＥＧＤを作成するステップである。
【０１０７】
Ｓ２０３は、Ｓ２０２で作成されたジョブチケット編集画面データＪＥＧＤを順次読み出して表示手段３２にジョブチケット編集画面を表示させるステップである。
【０１０８】
図１１は、本発明に係る操作主制御部３１ａによって実行されるプレビュー画像作成表示制御を示すフローチャートである。
【０１０９】
Ｓ３０１は、ジョブチケット編集画面Ｇ８０等の操作入力によりプレビュー画像表示要求の有か、否かを判定するステップである。
【０１１０】
プレビュー画像表示要求に係るジョブチケット編集画面Ｇ８０等の操作入力としては、図５に示す画像ページ編集画面Ｇ７０のジョブチケット釦Ｇ７７ａ、ジョブチケット編集画面Ｇ８０のプレビュー画像表示欄Ｇ９０に配設しているページめくり／前釦Ｇ９６、同じくページめくり／後釦Ｇ９７、同じく両面／表釦Ｇ９２、及び同じく両面／裏釦Ｇ９３が該当する。
【０１１１】
Ｓ３０２は、Ｓ３０１における指定ページのプレビュー画像データＰｖＧＤがプレビュー画像データ格納領域３４ｂに未格納であるか、否かを判定するステップである。
【０１１２】
“ＮＯ”の場合（格納されている場合）に、図示のようにＳ３０３ステップに移行し、図９に示したプレビュー画像格納制御を実行し指定ページのプレビュー画像データＰｖＧＤをプレビュー画像データ格納領域３４ｂに格納する。そして、プレビュー画像格納制御を終了した後にＳ３０４に移行して、図１０に示すプレビュー画像表示制御を実行し、指定ページのプレビュー画像が反映されたジョブチケット編集画面を表示部３２に表示させる。
【０１１３】
一方、Ｓ３０２において“ＹＥＳ”（未格納）と判定された場合は、プレビュー画像格納制御を行わず、Ｓ３０４に移行してプレビュー画像データ格納領域３４ｂに格納されている指定ページのプレビュー画像データに対しプレビュー画像表示制御を実行し、指定ページのプレビュー画像が反映されたジョブチケット編集画面を表示部３２に表示させる。
【０１１４】
本発明に係るプレビュー画像作成表示制御では、プレビュー画像を表示した後に指定ページに関連する対応ページのプレビュー画像を作成してプレビュー画像データ格納領域３４ｂに格納する、対応ページのプレビュー画像データ格納制御を備えている。Ｓ３０５からＳ３０９までの工程が対応ページのプレビュー画像データ格納制御に相当する。
【０１１５】
なお、上記の対応ページは予め設定可能であり、対応ページの一例を以下に列記する。印刷ジョブが両面記録モードである場合に指定ページが印刷される用紙の反対面に印刷されるページを対応ページとして予め設定する。あるいは、指定ページが印刷される用紙に対し前後に位置する用紙に印刷されるページを対応ページとして設定してもよい。あるいは、指定ページに対し前後に位置する複数分のページを対応ページとして設定してもよい。
【０１１６】
Ｓ３０５は対応ページのプレビュー画像データ格納制御における最初の対応ページに設定する工程である。
【０１１７】
Ｓ３０６は、Ｓ３０５で設定された対応ページのプレビュー画像データＰｖＧＤがプレビュー画像データ格納領域３４ｂに既に格納されているか、未格納であるかを判定するステップである。Ｓ３０６ステップで、対応ページが未格納である場合（Ｙｅｓの場合）はＳ３０７ステップに移行する。
【０１１８】
Ｓ３０７は、図９に示すプレビュー画像データ格納制御を対応ページについて実行する工程で、対応ページのプレビュー画像データＰｖＧＤを作成しプレビュー画像データ格納領域３４ｂに格納し、Ｓ１０８ステップに移行する。
【０１１９】
一方、Ｓ３０６ステップで、対応ページが既に格納済みである場合（ＮＯの場合）に、Ｓ１０７ステップをジャンプしてＳ１０８ステップに移行する。
【０１２０】
Ｓ１０８ステップは、関連ページに対するプレビュー画像データ格納制御におけるラストの対応ページの設定であるか、否かを判定するステップである。
【０１２１】
ラストでない場合（ＮＯの場合）にＳ１０９へ移行し、次の対応ページについてＳ３０６からＳ３０９まで工程を繰り返し実行することになる。
【０１２２】
一方、ラストである場合（ＹＥＳの場合）には、対応ページのプレビュー画像データ格納制御は完了させ、一連のプレビュー画像作成表示制御を終了する。
【０１２３】
以上のように、本発明に係るプレビュー画像作成表示制御は、操作入力で指示された指定ページのプレビュー画像を操作画面に表示させる後に、つまり、上記操作画面が表示されている時に、指定ページに関連する対応ページのプレビュー画像データを作成し画像メモリに格納する制御を実行するものである。従って、操作者が所望ページのプレビュー画像を表示させるための入力操作を行うと、指定ページのプレビュー画像が操作画面の表示欄に素早く表示される。更に、指定ページのプレビュー画像が表示している状態で対応ページのプレビュー画像を操作画面に表示させるための入力操作を行うと、対応ページのプレビュー画像が同様に素早く表示される。操作者はストレスなく、仕上がりの不具合を容易に判別可能になる。
【０１２４】
本発明に係るプレビュー画像作成表示制御によって操作者の入力操作に応じて表示あるいは表示切替されるプレビュー画像表示欄Ｇ９０の表示形態と、操作画像メモリ３４のプレビュー画像データ格納領域３４ｂにプレビュー画像データとして格納されるページ画像データに関する実施例を以下に説明する。
【０１２５】
［本発明に係るプレビュー画像作成表示制御の適用例（その１）］
図１２は、プレビュー画像作成表示制御の適用例（その１）で表示されるプレビュー画像表示欄Ｇ９０の表示形態を示す画面である。
【０１２６】
操作者が、図５に示す画像ページ編集画面Ｇ７０において第７ページのサムネイル画像を選択し、更にジョブチケット釦Ｇ７７ａを押下した場合に、つまり、プレビュー画像表示の指定ページとして第７ページが操作者によって指定入力された場合に、表示部３２に表示されるプレビュー画像表示欄Ｇ９０の表示形態を示す。
【０１２７】
このとき、主なジョブ条件として、両面記録モード、縦方向の用紙向き、２穴パンチの後処理が設定されている。
【０１２８】
第７ページの画像が用紙の表面側に印刷されており、両面／表釦Ｇ９２が強調表示され、両面／裏釦Ｇ９３は後退表示になっている。用紙番号表示枠Ｇ９８には、“シートＮｏ．４／１０”が表示されている。画像表示欄Ｇ９１には図示のようにプレビュー画像Ｇ９１ａが表示され、プレビュー画像Ｇ９１ａの綴じ代Ｇ９１ｂには２つのパンチマークＭｐが表示されている。
【０１２９】
表１は、上記表示の前後にプレビュー画像データ格納領域３４ｂの各サブ格納領域３４ｂｊ（ｊ＝１，・・，４）に格納されるプレビュー画像データのページ（番号）を示す。
【０１３０】
【表１】
2011124841.tif 000003
【０１３１】
格納順欄のＡは、図１２に示す画面の表示後に、つまり画面が表示されている時に、プレビュー画像データをプレビュー画像データ格納領域３４ｂに格納することを意味し、番号は格納順を示す。格納順欄のＢは、図１２に示す画面が表示される前にプレビュー画像データをプレビュー画像データ格納領域３４ｂに格納することを意味する。
【０１３２】
備考欄は、操作者がプレビュー画像の表示を指定した指定ページと、及び指定ページに関連する対応ページとの区分を示す。
【０１３３】
“Ｐａｇｅ８”は、プレビュー画像表示欄Ｇ９０に表示される指定ページとしての第７ページの裏面に相当する対応ページであり、両面／裏釦Ｇ９３の押下に応じてプレビュー表示されるページ番号である。また、“Ｐａｇｅ５”は、ページめくり／前釦Ｇ９６の押下に応じてプレビュー表示されるページ番号である。そして、“Ｐａｇｅ９”は、ページめくり／後釦Ｇ９７の押下に応じてプレビュー表示されるページ番号である。
【０１３４】
表１に示すように、対応ページ（第８、第５、第９ページ）のプレビュー画像データは、指定ページのプレビュー画像の表示後に作成され、プレビュー画像データ格納領域３４ｂに格納される。
【０１３５】
そして、操作者が図１２の画面が表示されている下で両面／裏釦Ｇ９３、ページめくり／前釦Ｇ９６、あるいはページめくり／後釦Ｇ９７を押下すると、対応ページとしての第８ページ、第５ページ、あるいは第９ページのプレビュー画像データは既にプレビュー画像データ格納領域３４ｂに格納されているために、各対応ページのプレビュー画像を反映するジョブチケット編集画面が瞬時に表示される。
【０１３６】
［本発明に係るプレビュー画像作成表示制御の適用例（その２）］
図１３は、プレビュー画像作成表示制御の適用例（その２）で表示されるプレビュー画像表示欄Ｇ９０の表示形態を示す画面である。
【０１３７】
操作者が図１２に示す表示状態において両面／裏釦Ｇ９３を押下した場合に、つまり、プレビュー画像表示の指定ページとして第７ページの裏面に相当する第８ページが操作者によって指定入力された場合に、表示部３２に表示される表示形態である。
【０１３８】
第８ページのプレビュー画像が表示され、両面／裏釦Ｇ９３が強調表示され、両面／表釦Ｇ９２は後退表示に切り替わる。用紙番号表示枠Ｇ９８の表示は変更せず、“シートＮｏ．４／１０”が表示される。
【０１３９】
表２は、表示状態が図１２から図１３に切替る前後に、プレビュー画像データ格納領域３４ｂの各サブ格納領域３４ｂｊ（ｊ＝１、・・、４）に格納されるプレビュー画像データのページ（番号）を示す。
【０１４０】
【表２】
2011124841.tif 000004
【０１４１】
指定ページとしての第７ページと、対応ページとしての第８ページはプレビュー画像データが図１２に示す画面の表示の下でプレビュー画像データ格納領域３４ｂに格納されているために、新たな格納を要しない。また、他の対応ページである第６ページと第１０ページのプレビュー画像データは、図１３に示す新たな画面の表示後に作成されてプレビュー画像データ格納領域３４ｂに格納される。なお、第６ページのプレビュー画像データはページめくり／後釦Ｇ９７の押下に対応し、第１０ページはページめくり／前釦Ｇ９６の押下に対応して格納される。
【０１４２】
そして、操作者が図１３の画面が表示されている下で、両面／表釦Ｇ９２、ページめくり／前釦Ｇ９６、及びページめくり／後釦Ｇ９７を押下した場合に、第８ページに関連する対応ページとしての第７ページ、第６ページ、及び第１０ページのプレビュー画像データは既にプレビュー画像データ格納領域３４ｂに格納されているために、各対応ページのプレビュー画像を反映するジョブチケット編集画面は瞬時に表示される。
【０１４３】
［本発明に係るプレビュー画像作成表示制御の適用例（その３）］
図１４は、プレビュー画像作成表示制御の適用例（その３）で表示されるプレビュー画像表示欄Ｇ９０の表示形態を示す画面である。
【０１４４】
図１４は、操作者が図１２に示す表示状態においてページめくり／後釦Ｇ９７を押下した場合に、つまり、プレビュー画像表示中の第７ページより用紙１枚分だけ進行した第９ページが指定された場合に、表示部３２に表示されるプレビュー画像表示欄Ｇ９０の表示形態を示す。
【０１４５】
プレビュー画像表示欄Ｇ９０に表示される第９ページのプレビュー画像は、ページ表示枠Ｇ９９に“Ｐ９”が表示され、用紙番号表示枠Ｇ９８に“シートＮｏ．５／１０”が表示される。
【０１４６】
表３は、図１２から図１４への表示切替時に、プレビュー画像データ格納領域３４ｂの各サブ格納領域３４ｂｊに格納されるプレビュー画像データのページ（番号）を示す。
【０１４７】
【表３】
2011124841.tif 000005
【０１４８】
新たな指定ページとしての第９ページ及び新たな対応ページとしての第７ページのプレビュー画像データは図１２の表示中にプレビュー画像データ格納領域３４ｂに格納されている。従って、図１４の画面の表示に際し、新たなプレビュー画像データの作成・格納制御は不要である。また、新たな対応ページとしての第１０ページ及び第１１ページのプレビュー画像データは、図１４の画面の表示後にプレビュー画像データの作成・格納制御を実行してプレビュー画像データ格納領域３４ｂに格納される。なお、第７ページはめくり／前釦Ｇ９６の押下に対応し、第１０ページは両面／裏釦Ｇ９３の押下に対応し、第１１ページはめくり／前釦Ｇ９６の押下に対応する。
【０１４９】
そして、操作者が図１２の画面が表示されている下で、両面／表釦Ｇ９２、ページめくり／前釦Ｇ９６、及びページめくり／後釦Ｇ９７を押下した場合に、第８ページに関連する対応ページとしての第７ページ、第６ページ、及び第１０ページのプレビュー画像データは既にプレビュー画像データ格納領域３４ｂに格納されているために、各対応ページのプレビュー画像を反映するジョブチケット編集画面は瞬時に表示される。
【０１５０】
上記の適用例に示すように、プレビュー画像の表示時に全対応ページのプレビュー画像データは作成され全て画像メモリに格納済みであり、各対応ページのプレビュー画像を表示する際に、新たなプレビュー画像データの作成制御の実行を必要とない。従って、操作者が表示中の操作画面において対応ページのプレビュー画像を表示させる操作を入力すると瞬時に対応ページのプレビュー画像が表示されるために、早く確認したい対応ページのプレビュー画像の表示が遅延することで生じる操作者のいらいら及びストレスが解消される。
【０１５１】
本発明に係るプレビュー画像作成表示制御は、仕上がりの不具合を容易に判別でき、指定ページ及びその対応ページのプレビュー画像を操作部にストレスなく表示できる操作制御部、及び画像形成装置の提供を可能にする。
【符号の説明】
【０１５２】
１  画像形成装置
１１  主制御部
２０  画像読取部
２３  読取制御部
３０  操作部
３１  操作制御部
３１ａ  操作主制御部
３１ｂ  画像処理部
３２  表示部
３３  入力部
３４  操作画像メモリ（画像メモリ）
３４ａ  操作画面データ格納領域
３４ｂ  プレビュー画像データ格納領域
４０  プリンタ部
５０  給紙ユニット
６０  後処理ユニット
Ｇ４０  コピー設定画面
Ｇ６０  ジョブリスト画面
Ｇ７０  画像ページ編集画面
Ｇ７７ａ  ジョブチケット釦
Ｇ８０  ジョブチケット編集画面
Ｇ９０  プレビュー画像表示欄
Ｇ９２  両面／表釦
Ｇ９３  両面／裏釦
Ｇ９６  ページめくり／前釦
Ｇ９７  ページめくり／後釦
ＰＧＤ  ページ画像データ
ＰｖＤ  プレビュー画像データ
【図１】
2011124841.tif 000006
【図２】
2011124841.tif 000007
【図３】
2011124841.tif 000008
【図４】
2011124841.tif 000009
【図５】
2011124841.tif 000010
【図６】
2011124841.tif 000011
【図７】
2011124841.tif 000012
【図８】
2011124841.tif 000013
【図９】
2011124841.tif 000014
【図１０】
2011124841.tif 000015
【図１１】
2011124841.tif 000016
【図１２】
2011124841.tif 000017
【図１３】
2011124841.tif 000018
【図１４】
2011124841.tif 000019